(57)【要約】【課題】運転免許証の運転許可機能を移管できる車両運転キーシステムを提案する。【解決手段】運転免許証のデータをＩＤデータとして記憶するユーザ側ＩＣカードと、メモリ１０３に予め記憶されている登録データをユーザ側ＩＣカードのＩＤデータと照合することにより車両の運転を許可する信号を出力するＣＰＵ１０１と、を備え、ＣＰＵ１０１からの運転許可信号が出力されているときにのみ車両の運転を可能とする。また、ＩＤデータを読み取るＩＣカードリーダ２０４と、ユーザ側ＩＣカードが有する運転許可機能を制御するＣＰＵ２０１と、ＣＰＵ１０１とＣＰＵ２０１間で電子データの送信を行うモデム１０１０５、２０５を備える。ＣＰＵ２０１において、入力端末２０６からユーザによる運転許可機能の移管の指示信号を認識したら、ＣＰＵ１０１のメモリ１０３に駐車場管理者側ＩＣカードのＩＤデータを登録データとして記憶する。【選択図】      図１
2005199868.tif 000002
【特許請求の範囲】
【請求項１】
運転免許証のデータをＩＤデータとして記憶している特定のＩＣカードと、
記憶装置に予め記憶されている登録データを前記特定のＩＣカードのＩＤデータと照合することにより車両の運転を許可する信号を出力する運転許可判定部と、を備え、
前記運転許可判定部からの運転許可信号が出力されているときにのみ車両の運転を可能とする車両の運転キーシステムにおいて、
少なくとも二つのＩＣカードに記憶されたＩＤデータを読み取るカードリーダと、
前記特定のＩＣカードが有する運転許可機能の、第二のＩＣカードへの移管を制御する移管制御部と、
前記運転許可判定部と移管制御部との間で電子データの送信を行う通信手段と、を備え、
前記移管制御部において前記入力端末からユーザによる、前記特定のＩＣカードの有する運転許可機能の移管の指示信号を認識したら、
前記カードリーダにより読み取った前記第二のＩＣカードのＩＤデータを、前記移管制御部から前記通信手段を介して前記運転許可判定部に送信し、
前記運転許可判定部の記憶装置に前記第二のＩＣカードのＩＤデータを前記登録データとして記憶することにより、前記第二のＩＣカードに基づく車両の運転を可能とすることを特徴とする車両の運転キーシステム。
【請求項２】
前記移管制御部において前記入力端末からユーザによる、前記特定のＩＣカードの有する運転許可機能の移管の指示信号を認識したら、
前記カードリーダにより読み取った前記特定のＩＣカードおよび前記第二のＩＣカードのＩＤデータを、前記移管制御部から前記通信手段を介して前記運転許可判定部に送信し、
前記運転許可判定部において、前記特定のＩＣカードのＩＤデータを前記登録データと照合することにより、前記特定のＩＣカードが運転許可機能を有すると判断されたら、
前記運転許可判定部の記憶装置に前記第二のＩＣカードのＩＤデータを前記登録データとして記憶することにより、前記第二のＩＣカードに基づく車両の運転を可能とする請求項１に記載の車両運転キーシステム。
【請求項３】
前記特定のＩＣカードには予め暗証番号を記憶し、
前記移管制御部で、前記入力端末により入力された暗証番号と、前記カードリーダにより読み取った前記特定のＩＣカードの暗証番号と、が一致したら、前記車両の運転許可機能の移管の指示信号を認識したと判断する請求項１に記載の車両運転キーシステム。
【請求項４】
前記第二のＩＣカードとして、キーを預ける駐車場の管理者のＩＣカードを用いる請求項１に記載の車両運転キーシステム。
【請求項５】
前記第二のＩＣカードに基づく車両の運転が可能な期間には、前記運転許可判定部において、車両の許容される走行範囲を前記駐車場内に限定する請求項４に記載の車両運転キーシステム。
【請求項６】
前記移管制御部において、送迎の指示信号を認識したら、前記運転許可判定部において、車両の許容される走行範囲を送迎場所までのルートに変更する請求項５に記載の車両運転キーシステム。
【請求項７】
前記第二のＩＣカードに基づく車両の運転が可能な期間には、前記運転許可判定部において、車両の許容される最大車速を所定値に限定する請求項４に記載の車両運転キーシステム。
【請求項８】
前記移管制御部において、送迎の指示信号を認識したら、前記運転許可判定部において、前記車両の許容される最大車速の限定を解除する請求項７に記載の車両運転キーシステム。
【請求項９】
前記第二のＩＣカードに基づく車両の運転が可能な期間には、車両の位置および時刻を前記運転許可判定の記憶装置に走行履歴として記憶しておく請求項１に記載の車両運転キーシステム。
【請求項１０】
再度、前記移管制御部において前記入力端末からユーザによる車両の運転許可機能の変更の指示信号を認識したら、
前記カードリーダにより読み取った前記特定のＩＣカードおよび前記第二のＩＣカードのＩＤデータを、前記移管制御部から前記通信手段を介して前記運転許可判定部に送信し、
前記運転許可判定部の記憶装置において、前記第二のＩＣカードのＩＤデータを消去し、変更以前に記憶していた登録データを、再度登録データとして記憶することにより、前記特定のＩＣカードに基づく車両の運転を可能とする請求項１に記載の車両運転キーシステム。
【発明の詳細な説明】
【技術分野】
【０００１】
本発明は、ＩＣカードを用いた車両運転キーシステムに関する。特に、キーを預けるタイプの駐車場を利用した場合における車両運転キーシステムに関する。
【背景技術】
【０００２】
従来のＩＣカードを用いた自動車用キーシステムとして、運転者などに関するデータを記録したＩＣカードと、自動車側に設置したカードリーダにより、運転者を識別して、ドアロック解除以降の操作を可能とするものが知られている。運転免許証をこのＩＣカードと一体化することで、運転免許証不携帯での運転などを防止している（例えば、特許文献１、参照。）。
【０００３】
また、免許証を必要な各種データが記憶されたＩＣメモリを備えたＩＣカードとして構成し、一方、操作する装置には、所定位置に挿入されたＩＣカードに対してデータの読み書きを行うためのカードリード／ライト部や、本人識別情報を入力するためのキーボード部、指紋入力部、マイク等が設けられたものがある。運転免許証が所定位置に設置され、予め記憶された各種データや入力された本人識別情報等が所定の条件を満たす場合にのみ、エンジンの起動等を可能にしている。（例えば、特許文献２、参照）。
【特許文献１】特開２００３−１２００９４号公報
【特許文献２】特開平１０−２４５８３号公報
【発明の開示】
【発明が解決しようとする課題】
【０００４】
上記背景技術に示したように、従来は、ＩＣカード化された運転免許証を自動車のキーとして活用しており、車両システムの起動から停止までは、車両に運転免許証（ＩＣカード）を設置したままとしていた。
【０００５】
そのため、このようなシステムを導入した車両を、車両用キーを預ける駐車場に駐車する場合には、運転免許証を預けることになってしまい、ユーザ側として不便である。また、車両のみならず、運転免許証も一緒に盗難される可能性も否めない。
【０００６】
そこで、本発明は、上記問題を鑑みて、運転免許証が有する車両の運転許可機能を移管できる車両運転キーシステムを提案することを目的とする。
【課題を解決するための手段】
【０００７】
本発明は、運転免許証のデータをＩＤデータとして記憶している特定のＩＣカードと、記憶装置に予め記憶されている登録データを前記特定のＩＣカードのＩＤデータと照合することにより車両の運転を許可する信号を出力する運転許可判定部と、を備え、前記運転許可判定部からの運転許可信号が出力されているときにのみ車両の運転を可能とする車両の運転キーシステムにおいて、少なくとも二つのＩＣカードに記憶されたＩＤデータを読み取るカードリーダと、前記特定のＩＣカードが有する運転許可機能の、第二のＩＣカードへの移管を制御する移管制御部と、前記運転許可判定部と移管制御部との間で電子データの送信を行う通信手段と、を備える。前記移管制御部において前記入力端末からユーザによる、前記特定のＩＣカードの有する運転許可機能の移管の指示信号を認識したら、前記カードリーダにより読み取った前記特定のＩＣカードおよび前記第二のＩＣカードのＩＤデータを、前記移管制御部から前記通信手段を介して前記運転許可判定部に送信し、前記運転許可判定部の記憶装置に前記第二のＩＣカードのＩＤデータを前記登録データとして記憶することにより、前記第二のＩＣカードに基づく車両の運転を可能とする。
【発明の効果】
【０００８】
移管制御部において入力端末からユーザによる、特定のＩＣカードの有する運転許可機能の移管の指示信号を認識したら、カードリーダにより読み取った特定のＩＣカードおよび第二のＩＣカードのＩＤデータを、移管制御部から通信手段を介して運転許可判定部に送信し、運転許可判定部の記憶装置に第二のＩＣカードのＩＤデータを登録データとして記憶する。これにより、特定のＩＣカードの運転許可機能を第二のＩＣカードに移管することができ、特定のＩＣカードを所持しない状態でも、第二のＩＣカードに基づく車両の運転を可能とすることができる。
【発明を実施するための最良の形態】
【０００９】
次に、本発明の実施の形態について、図を参照して具体的に説明する。駐車場管理者に車両用キーを預ける駐車場において、駐車期間に、ＩＣカード化された運転免許証（以下、ユーザ側ＩＣカード）の有する車両の運転許可機能を、駐車場管理者のＩＣカード（以下駐車場管理者側ＩＣカード）に移管する方法について説明する。
【００１０】
図１は、本発明のＩＣカードによる自動車用キーシステムの構成を示すブロック図である。車両に搭載された車両システム１００と、駐車場に設備されたＰＡＲＫ側システム２００との間では、相互に電話回線を経由して各種情報を適用するものとする。
【００１１】
なお、ユーザ側ＩＣカードは、ＩＣチップからなるメモリを搭載しており、その構造は通常のＩＣカードと同様とする。ユーザの運転免許証をＩＣカード化し、表面に顔写真、住所、氏名、生年月日、交付月日、有効期限等を印刷しておく。ＩＣカードのメモリには本人の運転免許証番号、氏名、生年月日、本籍・国籍、住所、運転免許の交付年月日、有効期限、免許の種類（運転可能排気量、対象車両等）等のデータを記憶しておく。また、自動車の走行距離のデータや交通違反のデータ等についても記憶可能に構成してもよい。
【００１２】
一方、駐車場管理者側ＩＣカードとしては、ユーザ側と同様に運転免許証を用いても良いが、これに加えて駐車場を特定する情報等が記憶されていることが好ましい。または、駐車場管理者の運転免許証のデータを記憶した駐車場専用のＩＣカードを用いても良い。
【００１３】
まず、車両に搭載された車両システム１００の概略について説明する。
【００１４】
車両の走行を制御するＣＰＵ１０１を備える。また、ユーザが任意で所望する場所へとナビゲートするナビシステム１０２を備える。さらに、運転許可が出される運転免許証のＩＤデータを記憶する登録部１０３ａと、その他のＩＤデータの情報を記憶する非登録部１０３ｂを備えたメモリ１０３を備える。また、車両には、例えば運転席正面に車載ディスプレイを備え、ナビシステム１０２を活用して設定されたコースを視覚的に認識できるようにする。
【００１５】
また、ＩＣカードに記録されたデータを読み取るＩＣカードリーダ１０４を備える。ここではＩＣカードリーダ１０４を、運転席前部ディスプレイに設置する。ＩＣカードリーダ１０４は、ＩＣカードの挿入と離脱が可能な構成を有し、この中に挿入されたＩＣカードに記憶された各種データを読み出してＣＰＵ１０１へ入力し、また、ＣＰＵ１０１から出力された各種データをＩＣカードに書き込むためのものである。さらに、エンジンやトランスミッションからなる駆動システム１０６と、電話回線を用いてＰＡＲＫ側システム２００と通信する際に活用するモデム１０５を備える。
【００１６】
ユーザが車両を運転する際には、ＩＣカードリーダ１０４にユーザ側ＩＣカードを挿入する。ＩＣカードリーダ１０４において読み込んだＩＤデータをＣＰＵ１０１に送信し、メモリ１０３の登録部１０３ａに記憶されたＩＤデータと照合する。この照合が一致した場合にのみ、ＣＰＵ１０１から車両の電源接続の信号が送信され、車両の運転が可能な状態となる。なお、ここでは認可されたＩＣカードが車両のキーの役割を果たしているが、これに加えて指紋、声紋、暗証番号等を併用してもよい。ただし、後述するように駐車場管理者側ＩＣカードを用いた運転が可能な状態では、これらの判定は省略されるものとする。運転期間中には、ＩＣカードはＩＣカードリーダ１０４に保持された状態が維持される。
【００１７】
次に、車両用キーを預ける駐車場に設備されたＰＡＲＫ側システム２００の構成について説明する。
【００１８】
ＰＡＲＫ側システム２００では、車両システム１００と連動することで、駐車契約期間に、ユーザ側ＩＣカードが有する車両の運転を許可する機能を、駐車場管理者側ＩＣカードに移管する手続を行う。なお、契約終了時に、再び駐車場管理者側ＩＣカードからユーザ側ＩＣカードへ、運転許可機能を移管するので、車両の送迎を行う駐車場に用いる場合には、送迎先で譲渡を行えるようにＰＡＲＫ側システム２００を持ち運び可能に構成する。
【００１９】
ユーザとの駐車契約締結時、契約終了時および管理者による送迎時にＰＡＲＫ側システム２００を制御するＣＰＵ２０１と、ユーザとの契約データを一括で記憶保存するメモリ２０３を備える。また、駐車契約時に、ユーザが、駐車期間、送迎の有無、送迎場所、送迎ルート、送迎時間、支払い方法等の契約内容と、暗証番号を入力する入力端末２０６と、送迎を依頼する場合のコースを設定するのに使用するナビシステム２０２を備える。また、契約時はユーザ側、駐車場管理者側それぞれのＩＣカードを認識し、送迎前に駐車場管理者が駐車場外にて運転できるように設定する際には駐車場管理者側ＩＣカードを認識するＩＣカードリーダ２０４を備える。さらに、電話回線を用いて車両システム１００と通信する際に活用するモデム２０５を備える。
【００２０】
次に、車両用キーを預ける駐車場における契約期間における流れを、図２に示したフローチャートを用いて説明する。
【００２１】
ステップＳ１において、ユーザが車両用キーを預かる駐車場へと入場する。ステップＳ２において、ユーザ側ＩＣカードに応じて車両の運転が許可される機能を、駐車場管理車側ＩＣカードに応じて車両の運転が許可される機能に変更する。この運転が許可される機能の変更方法を図３の示したフローチャートを用いて説明する。
【００２２】
ステップＳ２１において、ユーザ側ＩＣカードおよび駐車場管理者側ＩＣカードをＩＣカードリーダ２０４に挿入する。ステップＳ２２において、ユーザが入力端末２０６より、駐車期間、送迎の有無、支払い方法などの契約情報について入力する。なお、送迎を依頼する場合には、送迎予定時刻を入力する。さらに、送迎依頼をする場合には、送迎ルートを設定して入力してもよい。
【００２３】
ステップＳ２３において、ユーザが、入力した契約情報を確定した後、入力端末２０６から暗証番号を入力する。ＣＰＵ２０１において、入力された暗証番号と、ユーザ側ＩＣカードに記憶された暗証番号が一致することが確認されたら、各種情報をモデム２０５およびモデム１０５を介して、車両のＣＰＵ１０１に送信して、運転許可機能の移管の指示信号を出力する。車両のＣＰＵ１０１では、ユーザ側ＩＣカードに記憶されたＩＤデータが、車両の登録部１０３ａに記憶されたＩＤデータに一致するかを照合する。ＩＤデータが一致した場合には、登録部１０３ａに記憶されていたＩＤデータを、非登録部１０３ｂに記憶し、登録部１０３ａには、駐車場管理者側ＩＣカードに記憶されたＩＤデータのみを記憶する。これにより、車両のＩＣカードリーダ１０４に、駐車場管理者側ＩＣカードが挿入された場合に、車両の運転を許可する信号を出力するように制御する。
【００２４】
また、ステップＳ２２において入力端末２０６から入力された契約情報がＣＰＵ２０１にて認識された後、モデム２０５を介して車両システム１００側へと転送される。ＣＰＵ１０１はモデム１０５を介して前記データを受信し、それらをメモリ１０３に記憶させることにより、車両に契約データを登録する。
【００２５】
次に、ステップＳ２４において、駐車用の車速制限および運転範囲制限を適用する。ここでは、車速を１０ｋｍ／ｈ以下に、また、運転範囲を駐車場敷地内に制限し、これをメモリ１０３に記憶する。これにより、駐車場敷地内を制限速度内で運転するように設定される。
【００２６】
次に、図２のステップＳ３において、車両を駐車する。このとき、ステップＳ２４の制限により、駐車場敷地内を制限速度以内で走行するようにＣＰＵ１０１により駆動システム１０６が制御される。なお、車両契約中に、駐車場管理者に限らず車両を走行させた場合には、走行中におけるナビシステム１０２の情報および内蔵時計データをメモリ１０３に記憶させる。
【００２７】
ステップＳ４において、送迎の依頼があるか否かを判定し、送迎依頼がない場合には、ステップＳ６に進む。一方、送迎依頼があった場合には、ステップＳ５に進む。
【００２８】
ステップＳ５では、車両の送迎を行う。ここでは、例えば、ユーザから電話等により送迎の要請があったら、駐車場管理者が、契約時に既定した場所まで走行できるよう、送迎の制御を開始する。
【００２９】
まず、駐車場管理者側ＩＣカードがＩＣカードリーダ２０４に挿入された状態で、ユーザが電話にて暗証番号を入力する。これが、契約時の内容を記憶しているメモリ２０３の情報と一致するか否かをＣＰＵ２０１で判断し、一致する場合のみに、モデム２０５、１０５を介してＣＰＵ１０１に、送迎用の車速制限および運転範囲制限の情報が送信される。ここでは、車速制限を解除、または通常運転に設定する。また、運転範囲制限を、送迎ルートが記憶されている場合には送迎ルートに、送迎場所のみが設定されている場合にはナビシステム２０２により検出されたルートに設定する。このような車速制限や運転範囲制限の状態をメモリ１０３に記憶する。
【００３０】
これにより、駐車場管理者は、駐車場管理者側ＩＣカードをＩＣカードリーダ１０４に挿入して、車両を送迎場所まで走行させることができる。このとき、駆動システム１０６は、メモリ１０３に記憶された車速制限や運転範囲制限に従って、ＣＰＵ１０１において制御される。
【００３１】
次に、ステップＳ６において、車両返却手続を行う。ユーザ側ＩＣカードおよび駐車場管理者側ＩＣカードを用いて、駐車場管理車側ＩＣカードに移管した運転許可機能を、再度、ユーザ側ＩＣカードに移管する。図４のフローチャートを用いて説明する。
【００３２】
ステップＳ６１において、ユーザ側ＩＣカードおよび駐車場管理者側ＩＣカードをＩＣカードリーダ２０４に挿入する。ステップＳ６２において、ＩＣカードが挿入されたことを認識したら、モデム１０５、２０５を経由してＣＰＵ１０１からメモリ１０３内に記憶していた契約期間中の車両走行データをＰＡＲＫ側システム２００にダウンロードする。ユーザがダウンロードしたデータを、ナビシステム２０２を活用してディスプレイに表示する。
【００３３】
ステップＳ６２において、契約中の車両の走行に問題がないことを確認できたら、ステップＳ６３において、ユーザは入力端末２０６から暗証番号を入力する。暗証番号がユーザ側ＩＣカードに記憶されているものと一致したら、ＩＣカードリーダ２０４で読み込んだユーザ側ＩＣカードおよび駐車場管理者側ＩＣカードのＩＤデータを、モデム２０５、１０５を介してＣＰＵ１０１に送信する。ユーザ側ＩＣカードのＩＤデータが非登録部１０３ｂに記憶されているデータに、駐車場管理者側ＩＣカードのＩＤデータが登録部１０３ａに記憶されているデータに一致したら、運転許可機能を再度変更する。登録部１０３ａに記憶された駐車場管理者側ＩＣカードのＩＤデータを消去し、非登録部１０３ｂに記憶されたユーザ側ＩＣカードのＩＤデータを再び登録部１０３ａに記憶する。これにより、駐車場管理者側ＩＣカードに応じて運転許可が認可される機能から、ユーザ側ＩＣカードに応じて運転許可が認可される機能へ変更することができる。
【００３４】
同時に駐車場借用契約が完了し、支払い手続へと進む。なお、運転免許証(ＩＣカード)に、クレジットカードの代行もさせている場合などには、決済時処理が自動的に進むようにしてもよい。
【００３５】
ステップＳ６４において、メモリ１０３内に記憶していた車速制限および運転範囲制限に関連する情報を解除する。なお、駐車前に車速制限や運転範囲制限が為されている場合には、その駐車前の状態に戻すように設定しても良い。
【００３６】
ステップＳ６において、駐車場管理者側ＩＣカードによる運転許可が出力される機能を、ユーザ側ＩＣカードに再移管したら、本フローを終了する。
【００３７】
このように、車両用キーを預けるタイプの駐車場においては、ユーザ側ＩＣカードによる運転許可が出力される機能を、一時的に駐車場管理者側ＩＣカードに移管することで、車両のキーとして使用するユーザ側ＩＣカード、つまり運転免許証を駐車場管理者に預ける必要がなくなる。
【００３８】
次に、本実施形態の効果について説明する。
【００３９】
運転免許証のデータをＩＤデータとして記憶している特定のＩＣカード（ユーザ側ＩＣカード）と、メモリ１０３に予め記憶されている登録データを特定のＩＣカードのＩＤデータと照合することにより車両の運転を許可する信号を出力するＣＰＵ１０１と、を備え、ＣＰＵ１０１からの運転許可信号が出力されているときにのみ車両の運転を可能とする。このような車両の運転キーシステムにおいて、少なくとも二つのＩＣカードに記憶されたＩＤデータを読み取るＩＣカードリーダ２０４と、ユーザ側ＩＣカードが有する運転許可機能の、第二のＩＣカード（駐車場管理者側ＩＣカード）への移管を制御するＣＰＵ２０１と、ＣＰＵ１０１とＣＰＵ２０１との間で電子データの送信を行う通信手段（モデム１０１０５、２０５）と、を備える。ＣＰＵ２０１において入力端末２０６からユーザによる、特定のＩＣカードの有する運転許可機能の移管の指示信号を認識したら、ＩＣカードリーダ２０４により読み取った第二のＩＣカードのＩＤデータを、ＣＰＵ２０１から通信手段を介してＣＰＵ１０１に送信する。ＣＰＵ１０１のメモリ１０３に駐車場管理者側ＩＣカードのＩＤデータを登録データとして記憶する。これにより、駐車場管理者側ＩＣカードに基づく車両の運転を可能とすることができ、特定のカードを所持しない状態でも、車両の運転を行うことができる。
【００４０】
ここで、第二のＩＣカードとして、キーを預ける駐車場の管理者のＩＣカードを用いることにより、キーを預ける駐車場において、駐車契約時にユーザが運転免許証である特有のＩＣカードを預けることなく、車両を駐車することができる。このとき、ユーザ側ＩＣカードのＩＤデータを、一時的に非登録データとして記憶しておくことで、ユーザ側ＩＣカードを用いた運転が不可能となるので、無賃駐車を防止することができる。また、駐車場管理者側ＩＣカード以外を用いた運転を許可しないので、盗難を防止することができる。
【００４１】
ＣＰＵ２０１において入力端末２０６からユーザによる、ユーザ側ＩＣカードの有する運転許可機能の移管の指示信号を認識したら、ＩＣカードリーダ２０４により読み取ったユーザ側ＩＣカードおよび駐車場管理者側ＩＣカードのＩＤデータを、ＣＰＵ２０１から通信手段を介してＣＰＵ１０１に送信する。ＣＰＵ１０１において、ユーザ側ＩＣカードのＩＤデータを登録データと照合することにより、ユーザ側ＩＣカードが運転許可機能を有すると判断されたら、ＣＰＵ１０１のメモリ１０３に駐車場管理者側ＩＣカードのＩＤデータを登録データとして記憶する。これにより、運転許可機能の移管には、予め車両の運転が許可されるユーザ側ＩＣカードが必要となるので、ユーザ側ＩＣカードを持たないものによる駐車を禁止することができる。
【００４２】
また、ユーザ側ＩＣカードには予め暗証番号を記憶し、ＣＰＵ２０１で、入力端末２０６により入力された暗証番号と、ＩＣカードリーダ２０４により読み取ったユーザ側ＩＣカードの暗証番号と、が一致したら、車両の運転許可機能の移管の指示信号を認識したと判断する。これにより、ユーザ側ＩＣカードの所有者本人により、運転許可機能の移管を指示することができる。
【００４３】
さらに、駐車場管理者側ＩＣカードに基づく車両の運転が可能な期間には、ＣＰＵ１０１において、車両の許容される走行範囲を駐車場内に限定する。これにより、駐車中に車両が盗難されたり、駐車場管理者が勝手に車両を使用するのを防止することができる。
【００４４】
このとき、ＣＰＵ２０１において送迎の指示信号を認識したら、ＣＰＵ１０１において車両の許容される走行範囲を、送迎場所までのルートに変更する。これにより、送迎サービス付の駐車場においても、本システムが適用可能となり、利便性が向上する。
【００４５】
また、駐車場管理者側ＩＣカードに基づく車両の運転が可能な期間には、ＣＰＵ１０１において、車両の許容される最大車速を所定値に限定する。基本的には、駐車場内での車両の入れ替えしか発生しないはずであり、駐車場管理者が駐車された車両の運転に不慣れな場合でも、速度制限があることで、車両の衝突などの事故発生可能性を抑制することができる。
【００４６】
このとき、ＣＰＵ２０１において、送迎の指示信号を認識したら、ＣＰＵ１０１において、車両の許容される最大車速の限定を解除する。これにより、送迎サービス付の駐車場においても、本システムが適用可能となり、利便性が向上する。
【００４７】
また、駐車場管理者側ＩＣカードに基づく車両の運転が可能な期間には、車両の位置および時刻をＣＰＵ１０１のメモリ１０３に走行履歴として記憶しておく。契約終了時に走行履歴を確認することにより、駐車場管理者が勝手に車両を使用する可能性を抑制でき、ユーザ側のメリットを向上することができる。
【００４８】
再度、ＣＰＵ２０１において入力端末２０６からユーザによる車両の運転許可機能の変更の指示信号を認識したら、ＩＣカードリーダ２０４により読み取ったユーザ側ＩＣカードおよび駐車場管理者側ＩＣカードのＩＤデータを、ＣＰＵ２０１から通信手段（モデム２０５、１０５）を介してＣＰＵ１０１運転許可判定部に送信する。ＣＰＵ１０１のメモリ１０３において、駐車場管理者側ＩＣカードのＩＤデータを消去し、移管以前に記憶していた登録データを、再度登録データとして記憶することにより、ユーザ側ＩＣカードに基づく車両の運転を可能とする。これにより、契約終了後の駐車場管理者側ＩＣカードによる運転を不可能にすることができる。
【００４９】
なお、ここでは契約時に車両システム１００のメモリ１０３に送迎内容を記憶したが、送迎要請時に送迎内容に変化がある場合もある。そこで、車両システム１００への送迎内容の送信は、送迎要請時に、電話等で送迎内容を送信し、暗証番号が入力された時点で、ＰＡＲＫ側システム２００のメモリ２０３からＣＰＵ２０１、モデム２０５を介して車両システム１００側に送信されるように制御してもよい。
【００５０】
さらに、送迎予定時刻に替わって、契約時に送迎決定時刻を記憶させ、この時刻となったら、自動的に車速制限や走行範囲の設定を解除または契約時の送迎内容に設定してもよい。これにより、送迎前にユーザが連絡できない場合などにも、設定時間に送迎することができる。
【００５１】
このように、本発明は、上記発明を実施するための最良の形態に限定されるわけではなく、特許請求の範囲に記載の技術思想の範囲内で、様々な変更を為し得ることは言うまでもない。
【産業上の利用可能性】
【００５２】
本発明は、ＩＣカードを用いた車両用キーシステムに適用することができる。特に、車両用キーを預ける駐車場に対応したシステムとして活用することができる。
【図面の簡単な説明】
【００５３】
【図１】本実施形態に用いる車両用キーシステムのブロック図である。
【図２】本実施形態に用いる車両用キーシステムのメインルーチンである。
【図３】運転許可機能を移管する際のサブルーチンである。
【図４】運転許可機能を再移管する際のサブルーチンである。
【符号の説明】
【００５４】
１００  車両システム
１０１  ＣＰＵ（運転許可判定部）
１０３  メモリ（記憶装置）
１０３ａ  登録部
１０３ｂ  非登録部
１０４  ＩＣカードリーダ
１０５  モデム（通信手段）
２００  車両側システム
２０１  ＣＰＵ（移管制御部）
２０４  ＩＣカードリーダ
２０５  モデム（通信手段）
２０６  入力端末
【図１】
2005199868.tif 000003
【図２】
2005199868.tif 000004
【図３】
2005199868.tif 000005
【図４】
2005199868.tif 000006